(57)【要約】【課題】端末及び基地局間で新たなシグナリングを設けることなく、長いDRX/DTX間隔に適したMeasurement動作を制御する無線通信端末装置及び無線通信方法を提供する。【解決手段】DRX threshold・端末状態判定部１０７において、設定されたDRX/DTX間隔がDRX thより長いと判定した場合、Measurement処理決定部１０８がCell reselection用の情報を用いることをMeasurement実施部１０９に指示し、Measurement実施部１０９はCell reselection用の情報を用いてMeasurementを行う。Measurement report送信処理決定部１１０は、Measurementの結果がCell reselection基準を満たす場合、Measurement reportの送信を決定し、送信部１１１からMeasurement reportを現在接続中の無線通信基地局装置に送信する。【選択図】図１
2008278303.tif 000002
【特許請求の範囲】
【請求項１】
RRC Connected状態におけるDRX/DTX間隔が所定の値より長いか否かを判定する判定手段と、
前記DRX/DTX間隔が所定の値より長い場合、Cell reselection用の情報を用いてMeasurementを行うMeasurement手段と、
前記Measurementの結果がCell reselection基準を満たすことを条件にMeasurement reportを現在接続中の無線通信基地局装置に送信する送信手段と、
を具備する無線通信端末装置。
【請求項２】
前記Measurement手段は、制限されたCell reselection用の情報を用いてMeasurementを行う請求項１に記載の無線通信端末装置。
【請求項３】
Cell reselection用の情報要素及びHandover用の情報要素をグループ化して管理するグループ管理手段を具備し、
前記Measurement手段は、前記グループ管理手段によって指示されたグループに属する情報を統合し、統合した情報を用いてMeasurementを行う請求項１に記載の無線通信端末装置。
【請求項４】
前記判定手段は、Measurementの内容に応じて異なる所定の値に対して前記DRX/DTX間隔が長いか否かを判定する請求項１に記載の無線通信端末装置。
【請求項５】
前記Measurement手段は、前記DRX/DTX間隔が所定の値より長く、かつ、前記Measurementの結果が第２の所定の値より大きい場合、Cell reselection用の情報を用いてMeasurementを行う請求項１に記載の無線通信端末装置。
【請求項６】
RRC Connected状態におけるDRX/DTX間隔が所定の値より長いか否かを判定する判定工程と、
前記DRX/DTX間隔が所定の値より長い場合、Cell reselection用の情報を用いてMeasurementを行うMeasurement工程と、
前記Measurementの結果がCell reselection基準を満たすことを条件にMeasurement reportを現在接続中の無線通信基地局装置に送信する送信工程と、
を具備する無線通信方法。
【発明の詳細な説明】
【技術分野】
【０００１】
本発明は、DRX (Discontinuous Reception)/DTX (Discontinuous Transmission)を行う無線通信端末装置及び無線通信方法に関する。
【背景技術】
【０００２】
既に標準化作業が行われた3GPPのUMTSシステムRelease1999相当においては端末のRRC（Radio Resource Control）でのstate管理として、大きく２つのstateが存在する（非特許文献１参照）。このstateとしては、RRC Connected, RRC Idleの２つがある。RRC Connectedはさらに細かく下記の４つのstateに分類される。すなわち、CELL_DCH, CELL_FACH, CELL_PCH, URA_PCHである。以下、これら４つのstateについて簡単に説明する。
【０００３】
CELL_DCHは、端末と基地局との間が、個別チャネルで接続されている状態であり、常に送受信を行っているため、電力の消費が激しい。また、個別チャネルが設定されているため、大きなデータの送受信も可能である。さらに、移動制御は、ネットワークコントロールであり、端末からの測定報告を受けて、ネットワークからセル切り替えの指示を受ける。
【０００４】
CELL_FACHは、端末と基地局との間を共通チャネルを用いて送受信する状態であり、必要な時にのみ送受信を行うため、CELL_DCHに比べて消費電力が少ない。また、限られた共有チャネル内で複数の端末が送受信するため、大きなデータの送受信には向かない。さらに、移動制御は、端末コントロールであり、セル間を移動した場合には、状態をCELL_DCH又はCELL_FACHに変えて、新セル登録（Cell update）を行う必要がある。
【０００５】
CELL_PCHは、端末が新たなデータの発生や基地局からの呼び出しを待っている状態であり、データの送受信がない状態である。そして、以前行っていたサービスのための設定情報等が残されている。また、セル内の移動なら、間欠受信（DRX: Discontinuous Reception）間隔での待ち受けのみとなるため、消費電力が少ない。さらに、移動制御は、端末コントロールであり、セル間を移動した場合には、状態をCELL_DCH又はCELL_FACHに変えて、新セル登録を行う必要がある。
【０００６】
URA_PCHは、端末が新たなデータの発生や基地局からの呼び出しを待っている状態であり、データの送受信がない状態である。そして、以前行っていたサービスのための設定情報等が残されている。また、URA（UTRAN Registration Area）内（複数のセル群）の移動なら、待ち受けのみとなるため、消費電力が少ない。さらに、移動制御は、端末コントロールであり、URA間を移動した場合には、状態をCELL_DCH又はCELL_FACHに変えて、新URA登録（URA update）を行う必要がある。
【０００７】
次に、RRC Idleについて説明する。RRC Idleは、端末が新たなデータの発生や基地局からの呼び出しを待っている状態であり、データの送受信がない状態である。そして、以前行っていたサービスのための設定情報等は残されていない。また、RA（Routing Area）又はLA（Location Area）内（複数のセル群）の移動なら、待ち受けのみとなるため、消費電力が少ない。さらに、移動制御は、端末コントロールであり、RA間を移動した場合には、状態をCELL_DCH又はCELL_FACHに変えて、新RA登録（RA update）を行う必要がある。
【０００８】
このRRC stateとそのstate遷移の概念図を図１７に示す。ネットワーク側は、図１７に示したstate遷移を用いて、端末の状況に合ったRRC stateに端末を遷移させることにより、端末の消費電力低減、有効な無線リソースの活用を実現している。
【０００９】
ところで、Mobilityには大きく分けて二つの動作が存在する。すなわち、ネットワークコントロールで行うHandover（CELL_DCH）と、端末が自分でセルを選択するCell reselection（CELL_DCH以外）である。Handoverは、端末が自セル及び他セルの受信品質をネットワークに報告し、ネットワークが端末のハンドオーバ先を決定する。なお、報告方法、受信品質測定方法等は、ネットワークから報知情報又は個別のRRC message（Measurement Control message）によって通知される。また、Handoverは、CELL_DCHのみで使われており、基本的に常時自セル、他セルのMeasurementを行っている。
【００１０】
一方、Cell reselectionは、端末が自セル及び他セルの受信品質を測定し、特定の条件を満たした場合には、端末自身が他セルへの移行を決定する。なお、受信品質の測定方法、他セルの選択条件などは、報知情報によって通知される。また、Cell reselectionは、CELL_DCH以外で使われており、バッテリ低減の観点から色々なパラメータが準備されている。
【００１１】
ところが、UMTSには２つの問題がある。一つには、多くのstateがあることから、端末・ネットワーク双方の制御が複雑であり、二つには、stateの遷移がRRC messageにより行われ、遷移に時間がかかることから、こまめな遷移を行うことが困難である。
【００１２】
そのため、3GPPで標準化が行われているLTE（Long Term Evolution）/SAE（System Architecture Evolution）において、高効率な端末のstate管理が検討されており、２つのstate、すなわち、RRC ConnectedとRRC Idleのみを適用することが想定されている（非特許文献２参照）。
【００１３】
RRC Connectedは、端末と基地局との間は複数の端末でシェアされるシェアードチャネルを用いてデータの送受信を行い、また、そのシェアードチャネルを使用するための制御チャネルが使用される。また、データが存在しない場合には、間欠受信（DRX: Discontinuous Reception）/間欠送信（DTX: Discontinuous Transmission）を行うことにより消費電力を削減する。また、データの送受信の量は、シェアードチャネルのリソース割り当てによって制御される。さらに、移動制御は、ネットワークコントロールであり、端末からの測定報告を受けて、ネットワークからセル切り替えの指示を受ける。
【００１４】
一方、RRC Idleは、端末が新たなデータの発生や基地局からの呼び出しを待っている状態であり、データの送受信がない状態である。そして、以前行っていたサービスのための設定情報等は残されていない。また、TA（Tracking Area）内（複数のセル群）の移動なら、待ち受けのみとなるため、消費電力が少ない。さらに、移動制御は、端末コントロールであり、TA内であればネットワークに何も通知することなく、端末はセル間を移動可能である。TA間を移動した場合には、状態をRRC Connectedに変えて、新TA登録（TA update）を行う必要がある。
【００１５】
このように、LTE/SAEにおいては、従来のUMTSとは異なり、常に通信を行っている端末も、DRX/DTX制御される端末も一つのstateで管理される。
【非特許文献１】3GPP, TS25.331, 3rd Generation Partnership Project, Technical Specification Group Radio Access Network, Radio Resource Control (RRC), Protocol Specification.
【非特許文献２】3GPP, TS25.813, 3rd Generation Partnership Project, Technical Specification Group Radio Access Network, Evolved Universal Terrestrial Access (E-UTRA) and Evolved Universal Terrestrial Radio Access Network (E-UTRAN), Radio interface protocol aspects.
【発明の開示】
【発明が解決しようとする課題】
【００１６】
しかしながら、従来のネットワークベースのMobility（Handover）のための測定には、消費電力の低減に供するパラメータは存在しない。また、DRX/DTXを使用していない端末はそのような消費電力低減を考慮する必要が無いため、図１８に示すように二通りの動作が考えられる。
【００１７】
一つ目は、図１８（ａ）に示すように、DRX/DTXを行わない、またはDRX/DTX間隔が短い場合に使用するMeasurement設定と、DRX/DTX間隔が長い時に使用するMeasurement設定の両方を端末に通知し、その後指定されたDRXの長さに応じて端末側で使用するMeasurement設定を決定する方法である。この方法では、Measurementの設定回数を減らすことができるが、一つのMessageに多くのパラメータを含める必要があるので、Messageが複雑になってしまう。
【００１８】
二つ目は、図１８（ｂ）に示すように、DRXの長さが指定されるたびに、指定されたDRXの長さに応じて端末が使用するMeasurement設定をネットワークが通知する方法である。この方法では、DRXが長いときのパラメータをセル内で最適化することができるが、DRXの変更のたびにMeasurement Controlを送信しなければならない。
【００１９】
本発明はかかる点に鑑みてなされたものであり、端末及び基地局間で新たなシグナリングを設けることなく、長いDRX/DTX間隔に適したMeasurement動作を制御する無線通信端末装置及び無線通信方法を提供することを目的とする。
【課題を解決するための手段】
【００２０】
本発明の無線通信端末装置は、RRC Connected状態におけるDRX/DTX間隔が所定の値より長いか否かを判定する判定手段と、前記DRX/DTX間隔が所定の値より長い場合、Cell reselection用の情報を用いてMeasurementを行うMeasurement手段と、前記Measurementの結果がCell reselection基準を満たすことを条件にMeasurement reportを現在接続中の無線通信基地局装置に送信する送信手段と、を具備する構成を採る。
【発明の効果】
【００２１】
本発明によれば、端末及び基地局間で新たなシグナリングを設けることなく、長いDRX/DTX間隔に適したMeasurement動作を制御することができる。
【発明を実施するための最良の形態】
【００２２】
以下、本発明の実施の形態について、図面を参照して詳細に説明する。ただし、実施の形態において、同一機能を有する構成には、同一符号を付し、重複する説明は省略する。
【００２３】
（実施の形態１）
図１は、本発明の実施の形態１に係る端末の構成を示すブロック図である。この図において、受信部１０１は、基地局から送信された信号を受信し、受信Messageが報知情報の場合には、受信Messageを報知情報処理部１０２に出力し、受信Messageが個別Handover情報の場合には、受信Messageを個別Handover情報処理部１０３に出力し、受信MessageがDRX制御情報の場合には、受信MessageをDRX状態管理部１０４に出力する。また、受信信号をMeasurement実施部１０９に出力する。
【００２４】
報知情報処理部１０２は、受信部１０１から出力された報知情報がCell reselection用の情報であった場合には、その制御情報をCell reselection情報処理部１０５に出力し、報知情報がHandover用の情報であった場合には、その制御情報をHandover情報処理部１０６及びDRX threshold・端末状態判定部１０７に出力する。
【００２５】
ここで、Cell reselection用の情報としては、UMTSにてSIB3またはSIB4で送信されている以下のようなものが挙げられる。（１）Cell reselection用の測定方法(例:Ec/NO or RSCP)、（２）同一周波数の測定を行う基準となる元cellの受信品質、（３）異周波数の測定を行う基準となる元cellの受信品質、（４）HCS (hierarchical cell structure)を考慮する基準となる元cellの受信品質、（５）異システムの候補、その候補に対して異システムの測定を行う基準となる元cellの受信品質、（６）Cell reselectionの判定に用いるセル毎のoffset、（７）Cell reselectionを判定する際のHysterics、（８）Cell reselectionを実施する頻度、（９）端末のMobility度合いの判定に用いるParameter、（１０）HCS関連のPriority情報などである。ただし、これらはCell reselectionを実施するための情報の例であり、この中の一部のみが使われることもあるし、これら以外の情報が用いられることもある。
【００２６】
また、Handover用の情報としては、Measurementの実施とその報告に関する制御情報であり、UMTSにてMeasurement Control messageで送信されている以下のようなものが挙げられる。（１）MeasurementのID、（２）Measurementの測定方法、（３）Reportingに入れる値のフォーマット、（４）Reportingを行う基準（特定のトリガーを用いる場合にはその条件（他セルが最適になった場合等）や定期的な送信等）、（５）Reportingの判断に用いるセル毎のOffset情報、（６）測定する周波数帯（異周波数／異システムの測定の場合）、（７）GAPの設定に関する情報（異周波数／異システムの測定の場合）などである。
【００２７】
また、報知情報処理部１０２からDRX threshold・端末状態判定部１０７に出力されるDRX関係の情報としては、端末の使っているDRX/DTXの値がHandover用の処理を行うべきものか、Cell reselectionを行うべきかを示す基準値（DRX th）である。
【００２８】
個別Handover情報処理部１０３は、受信部１０１から出力された受信MessageがHandover用の情報であった場合には、その制御情報をHandover情報処理部１０６とDRX threshold・端末状態判定部１０７に出力する。また、個別Handover情報処理部１０３は、端末の状態情報（RRC Idle又はRRC Connected）をDRX threshold・端末状態判定部１０７に出力する。
【００２９】
DRX状態管理部１０４は、受信部１０１から出力されたDRX制御情報に基づいて、DRX/DTXの制御を行うと共に、DRX/DTX制御の状態をDRX threshold・端末状態判定部１０７に出力する。
【００３０】
Cell reselection情報処理部１０５は、報知情報処理部１０２から出力されたCell reselection用の情報などを管理し、現在使うべきCell reselectionの情報をMeasurement処理決定部１０８及びMeasurement report送信処理決定部１１０に出力する。
【００３１】
ここで、Cell reselection情報処理部１０５からMeasurement処理決定部１０８に出力する情報としては、Measurementの実施に関わる部分であり、以下のものが例として挙げられる。（１）Cell reselection用の測定方法（例:Ec/NO or RSCP）、（２）同一周波数の測定を行う基準となる元cellの受信品質、（３）異周波数の測定を行う基準となる元cellの受信品質、（４）HCS (hierarchical cell structure)を考慮する基準となる元cellの受信品質、（５）異システムの候補、その候補に対して異システムの測定を行う基準となる元cellの受信品質、（６）端末のMobility度合いの判定に用いるパラメータ、（７）HCS関連のPriority情報などである。
【００３２】
また、Cell reselection情報処理部１０５からMeasurement report送信処理決定部１１０に出力する情報としては、Cell reselectionの基準に関する情報であり、以下のものが例として挙げられる。（１）Cell reselectionの判定に用いるセル毎のoffset、（２）Cell reselectionの判定をする際のHysterics、（３）Cell reselectionを実施する頻度。
【００３３】
Handover情報処理部１０６は、報知情報処理部１０２から出力されたHandover用の情報、個別Handover情報処理部１０３から出力されたHandover用の情報などを管理し、現在使うべきHandover用の情報をMeasurement処理決定部１０８及びMeasurement report送信処理決定部１１０に出力する。
【００３４】
ここで、Handover情報処理部１０６からMeasurement処理決定部１０８に出力する情報としては、Measurementの実施に関わる部分であり、以下のものが例として挙げられる。（１）MeasurementのID、（２）Measurementの測定方法、（３）測定する周波数帯（異周波数/異システムの測定の場合）、（４）GAPの設定に関する情報（異周波数／異システムの測定の場合）。
【００３５】
また、Handover情報処理部１０６からMeasurement report送信処理決定部１１０に出力する情報としては、Reportingの基準に関する情報であり、以下のものが例として挙げられる。（１）MeasurementのID、（２）Reportingに入れる値のフォーマット、（３）Reportingを行う基準（特定のトリガーを用いる場合にはその条件（他セルが最適になった場合等）や定期的な送信等）、（４）Reportingの判断に用いるセル毎のOffset情報。
【００３６】
DRX threshold・端末状態判定部１０７は、個別Handover情報処理部１０３から通知された端末の状態がRRC Idleの場合には、Cell reselection用の情報を使うように決定する。一方、RRC Connectedの場合には、DRX状態管理部１０４から出力された現在使われているDRX/DTXの長さとDRX thとを比較し、比較結果に基づいて、Cell reselectionの設定又はHandoverの設定のいずれかをMeasurement処理決定部１０８とMeasurement report送信処理決定部１１０に指示する。
【００３７】
Measurement処理決定部１０８は、DRX threshold・端末状態判定部１０７から出力された設定に従って、Cell reselection情報処理部１０５から出力されたCell reselection用の情報とHandover情報処理部１０６から出力されたHandover用の情報とのいずれかを選択し、選択した情報を用いて、Measurement実施部１０９にMeasurementの設定を指示する。
【００３８】
Measurement実施部１０９は、受信部１０１から出力された受信信号（UMTSにおけるCommon Pilot channel（CPICH）等の参照信号。ただし、LTE等で異なるチャネルが参照信号として使われる場合にはその参照信号）を用いてMeasurementを実施する。Measurementの結果はMeasurement report送信処理決定部１１０に送信される。
【００３９】
Measurement report送信処理決定部１１０は、DRX threshold・端末状態判定部１０７から出力された設定に従って、Cell reselection情報処理部１０５から出力されたCell reselection用の情報とHandover情報処理部１０６から出力されたHandover用の情報とのいずれかを選択し、選択した情報に基づいて、Measurement reportを作成するか否かを判定する。Measurement reportを作成する場合には、Measurement実施部１０９から出力されたMeasurement結果を用いてMeasurement reportを作成する。作成したMeasurement reportは送信部１１１に出力される。なお、DRX threshold・端末状態判定部１０７から端末の状態がRRC Idleであることが通知された場合には、Measurement reportの処理は行わない。
【００４０】
送信部１１１は、Measurement report送信処理決定部１１０から出力されたMeasurement reportを送信する。
【００４１】
図２は、本発明の実施の形態１に係る基地局の構成を示すブロック図である。この図において、上位局・手動設定受信部２０１は、上位局からの信号を受信したり、手動の設定などを受けたりし、どのように設定するかを決定する。決定された設定は端末制御決定部２０３及び報知情報処理部２０４出力される。
【００４２】
受信部２０２は、図１に示した端末から送信された情報を受信し、受信した情報を端末制御決定部２０３に出力する。
【００４３】
端末制御決定部２０３は、上位局・手動設定受信部２０１によって決定された設定と受信部２０２からから出力された情報に基づいて、端末の制御を決定する。決定した制御内容は個別Handover情報処理部２０５及びDRX状態管理部２０６に出力する。具体的には、端末制御決定部２０３は、個別Handover情報処理部２０５において作成されるMeasurement Controlの内容を決定する。Measurement Controlの内容としては、図３（ｂ）に示すように、従来のMeasurement Controlの内容に加えてDRX thが含まれている。また、端末制御決定部２０３は、DRX状態管理部２０６において作成されるMessageの内容として、DRX/DTXの設定を決定する。
【００４４】
報知情報処理部２０４は、上位局・手動設定受信部２０１から出力された情報により報知情報の内容を決定する。具体的には、図３（ａ）に示すCell reselectionの設定を決定する。また、Handover用の情報も報知情報に含める場合には、図３（ｂ）に示す内容も決定する。決定された内容は送信部２０７に出力される。
【００４５】
個別Handover情報処理部２０５は、端末制御決定部２０３において決定された内容を含めてMeasurement ControlなどのMessageを作成し、作成したMessageを送信部２０７に出力する。
【００４６】
DRX状態管理部２０６は、端末制御決定部２０３において決定されたDRX/DTX制御情報（DRXの長さなど）を含めてMessageを作成し、作成したMessageを送信部２０７に出力する。
【００４７】
送信部２０７は、報知情報処理部２０４から出力された報知情報、個別Handover情報処理部２０５から出力されたMessage、DRX状態管理部２０６から出力されたMessageを端末に送信する。
【００４８】
次に、図１に示した端末と図２に示した基地局との通信手順について図４を用いて説明する。一般に、RRC IdleにおいてはCell reselectionを行っているため、このMeasurement設定は端末の消費電力を削減できる。そこで、このMeasurement設定を長いDRX/DTXを用いるRRC Connectedにおいても使用するものとする。
【００４９】
まず、端末は報知情報によってCell reselection情報を受信する。これは、端末がRRC IdleでMobility制御に必要なため、RRC Idleで受信する。その後、Call setupなどを行い、RRC Connectedに遷移し、Measurement ControlでDRX/DTXを行わない、またはDRX/DTXの間隔が短い時に使用するMeasurement等のHandoverの設定を受信する。
【００５０】
端末は、その設定を用いてMeasurement動作を行う。また、この際にDRX/DTXの間隔のThreshold値を受信する。この後、端末はDRX/DTXの設定を行い、その設定がDRX thより長い場合には、Cell reselection用の情報を用いてMeasurementを行う。そして、Cell reselection用の情報を用いてCell reselectionを行う基準を満たした場合、すなわち、他セルに移行する条件が満たされた場合には、Cell reselectionではなく、Measurement reportを現在接続しているセルに送信する。
【００５１】
このような動作により、端末に対して送信するHandover用のMeasurement等の設定が複雑にならなくなり、さらにはDRX/DTX間隔が長い時に消費電力の削減が可能になる。
【００５２】
なお、ここでは、Handover用のMeasurement等の設定をMeasurement Controlで行う例を示したが、その設定も報知情報によって行うことが考えられる。その場合、報知情報にて受信したHandover用のMeasurement等の設定をCall setup後、すなわち、RRC Connectedに遷移してから使用する。
【００５３】
次に、図４に示した通信手順についてさらに詳細に説明する。端末はRRC Idleで報知情報を受信する。このとき、端末は、Cell reselection用の情報を受信して保持する。Cell reselection用の情報は、例えば、図３（ａ）に示すような内容である。このCell reselection用の情報は、端末内において、受信部１０１、報知情報処理部１０２、Cell reselection情報処理部１０５で順次処理され、Cell reselection情報処理部１０５に保持される。
【００５４】
そして、Measurement処理決定部１０８、Measurement report送信処理決定部１１０にそれぞれ必要な情報が出力される。ここで、RRC Idleでは、Measurement処理決定部１０８、Measurement report送信処理決定部１１０がそれぞれCell reselection用の情報を使うようにDRX threshold・端末状態判定部１０７より通知され、Cell reselectionを実施する。
【００５５】
Measurement処理決定部１０８は、決定したMeasurementの方法をMeasurement実施部１０９に通知し、Measurement実施部１０９がMeasurementを実施する。Measurementの結果は、Measurement実施部１０９からMeasurement report送信処理決定部１１０に出力される。ただし、RRC Idleでは、Measurement reportが送られることはない。
【００５６】
また、Handover用の情報も報知情報によって取得している場合には、Handover用の情報は受信部１０１、報知情報処理部１０２、Handover情報処理部１０６で順次処理される。そして、Measurement処理決定部１０８、Measurement report送信処理決定部１１０にそれぞれ必要な情報が出力される。
【００５７】
次に、Call setupなどにより端末がRRC Connectedに遷移すると、個別Handover情報処理部１０３からDRX threshold・端末状態判定部１０７に端末が遷移したことが通知され、再度端末状態の判定が行われる。すでに、報知情報によりMeasurementの情報、DRX thなどが通知されており、このRRC Connectedに遷移したとき、端末が使用するDRX/DTXの値がDRX thより小さい場合には、DRX threshold・端末状態判定部１０７は、Measurement処理決定部１０８、Measurement report送信処理決定部１１０にそれぞれHandover用の設定を使用するよう指示する。その結果、Measurement処理決定部１０８は、Cell reselectionの設定からHandoverの設定に切り替え、切り替えた設定をMeasurement実施部１０９に通知する。また、Cell reselectionの設定からHandoverの設定に切り替えたことをMeasurement report送信処理決定部１１０にも通知し、Measurement report送信処理決定部１１０において、Measurement reportの送信を判断する。なお、この時点で端末が使用するDRX/DTXの値がDRX thより大きい場合には、DRX threshold・端末状態判定部１０７は、Measurement処理決定部１０８、Measurement report送信処理決定部１１０にそれぞれそのままCell reselection用の設定を使用するよう指示する。ただし、Measurement report送信処理決定部１１０からMeasurement reportを送信部１１１に送る必要があるため、DRX threshold・端末状態判定部１０７はMeasurement report送信処理決定部１１０を制御し、Measurement reportを送信部１１１に出力させる。
【００５８】
また、ここで、端末が個別のHandover用の情報、すなわち、Measurement controlなどのHandover用のMeasurementの設定を取得した場合には、その制御情報が受信部１０１、個別Handover情報処理部１０３、Handover情報処理部１０６で順次処理され、Handover用情報処理部１０６に保持される。個別のHandover用の情報は、報知情報に含まれるHandover用の情報と同様、例えば、図３（ｂ）に示すような内容である。
【００５９】
続いて、端末が使用するDRX/DTXの値がDRX thより小さいとき、基地局から長いDRXの設定が図４に示したように送信される場合について説明する。基地局から送信されたDRXの設定は、受信部１０１、DRX状態管理部１０４で順次処理され、DRX状態管理部１０４において、送信されたDRXの設定に従って、DRX/DTXを制御する。なお、この制御は、MAC(Medium Access Control)で行ってもよいし、RRCのMessageで行ってもよい。また、明確にMessageを送らずに、DRX/DTXを制御することも考えられる。具体的には、所定の時間、データを受信しなかったらDRX/DTX間隔を長くしたり、データを受信したらDRX/DTX間隔を短くしたりする。この場合、DRX/DTXの制御規則をDRX状態管理部１０４が管理し、データの受信又は未受信を受信部１０１からDRX状態管理部１０４に通知することにより実現可能である。このように、DRX状態管理部１０４では、DRX/DTX制御の方式にかかわらず、DRX/DTXを管理し、DRX/DTXをDRX threshold・端末状態判定部１０７に出力する。
【００６０】
DRX threshold・端末状態判定部１０７では、新たに設定されたDRX/DTXの間隔がDRX thより短い場合には、この時点で処理は行わない。一方、新たに設定されたDRX/DTXの間隔がDRX thより長い場合には、Measurement処理決定部１０８、Measurement report送信処理決定部１１０に使用する情報を変えることを通知する。
【００６１】
Measurement処理決定部１０８では、Cell reselection用の設定を行ってMeasurementを行うことを決定し、その設定をMeasurement実施部１０９に通知する。これにより、Cell reselectionの情報を用いて低消費電力のMeasurementを実現できる。また、Measurement report送信処理決定部１１０では、Measurement実施部１０９からのMeasurement結果をCell reselectionの情報を用いて、Cell reselectionの条件、すなわち、他セルへ移行する条件を満たしているか否かを判断する。
【００６２】
Cell reselectionの条件を満たした場合には、Measurement report送信処理決定部１１０は、Cell reselectionの実施の代わりにMeasurement reportを現在接続している基地局に送信する。これは、ネットワークベースのMobilityを実現するためである。この後の、Handoverなどの処理は、通常のHandover処理と同様である。
【００６３】
このように実施の形態１によれば、RRC Connectedの端末が設定されたDRX/DTX間隔がDRX thより長い場合、Cell reselection用の情報を用いてMeasurementを行い、Measurementの結果がCell reselection基準を満たすことを条件にMeasurement reportを現在接続中の無線通信基地局装置に送信することにより、端末及び基地局間で新たなシグナリングを設けることなく、長いDRX/DTX間隔に適したMeasurement動作を制御することができる。
【００６４】
なお、本実施の形態では、RRC Idleと同一の情報をRRC Connectedにおいて長いDRX/DTXを使用したが、図３（ａ）に示すようなcell reselection用の報知情報の中に長いDRX/DTXに使用する値を入れてもかまわない。具体的には、図５（ａ）に示すように、一部の情報に関しては、RRC IdleとRRC Connectedとで異なる値にするなどである。また、このRRC Connectedで異なる値を使う場合には、個別Handover情報にその値のみを入れることも考えられる。
【００６５】
また、本実施の形態では、特にRRC(Radio Resource Control)とMACの役割などに関して言及しなかったが、上述した機能の一部をRRCに、残りの機能をMACに実装することによって実現できる。ただし、どのように機能を分担し、どのようなプロトコルを使用するかについては適宜決定すればよい。
【００６６】
（実施の形態２）
実施の形態１では、長いDRX/DTXが設定されたRRC Connectedの端末が、RRC Idleで使用されているCell reselection用の情報を全て使用する場合について説明したが、本発明の実施の形態２では、RRC Idleで使用されているCell reselection用の情報を全て用いるのではなく、一部の情報のみを使用する場合について説明する。具体的には、以下の（１）〜（４）のいずれかの処理により、使用する情報の限定が可能になる。すなわち、（１）使用する情報を個別のHandover制御情報により通知、（２）使用する情報を報知情報により通知、（３）使用する情報を予めSpecなどで決めておく、（４）使用する情報を予め端末に設定しておく。
【００６７】
ここで、使用する情報を通知する個別のHandover制御情報の内容を図６に示す。図６（ａ）は、Cell reselection用の情報である。ここでは、便宜上それぞれの情報に１〜１０のインデックスを付している。図６（ｂ）は、個別Handover情報であり、Cell reselection用の情報のうち、いずれの情報を用いるかを示している。例えば、HCS関係については、HCSに該当するインデックス４及び１０がFalse（使わない）となっている。
【００６８】
図７は、本発明の実施の形態２に係る端末の構成を示すブロック図である。ただし、図７が図１と異なる点は、有効Cell reselection情報管理部７０１を追加し、Cell reselection情報処理部１０５をCell reselection情報処理部７０２に変更し、Measurement処理決定部１０８をMeasurement処理決定部７０３に変更し、Measurement report送信処理決定部１１０をMeasurement report送信処理決定部７０４に変更した点である。
【００６９】
有効Cell reselection情報管理部７０１は、RRC Connectedの端末がCell reselectionの情報のうち、いずれの情報を使用するか管理する。具体的な管理の方法として、使用する情報を個別のHandover制御情報により通知する場合には、個別Handover情報処理部１０３が有効Cell reselection情報管理部７０１に指示し、有効Cell reselection情報管理部７０１が決定する。また、使用する情報を報知情報により通知する場合には、報知情報処理部１０２が有効Cell reselection情報管理部７０１に指示し、有効Cell reselection情報管理部７０１が決定する。また、使用する情報を予めSpecなどで決めておく場合、または、使用する情報を予め端末に設定しておく場合には、有効Cell reselection情報管理部７０１に予め情報が設定されている。
【００７０】
Cell reselection情報処理部７０２は、有効Cell reselection情報管理部７０１から出力された情報に基づいて、RRC Connectedの端末に使用させるCell reselection情報を管理し、管理している情報をMeasurement処理決定部７０３及びMeasurement report送信処理決定部７０４に通知する。
【００７１】
Measurement処理決定部７０３は、Cell reselection情報処理部７０２から新たに通知されるRRC Connectedの端末が使用するCell reselectionの情報も管理し、RRC Connectedの端末がCell reselectionの情報を使用する場合にその情報を使用する。
【００７２】
Measurement report送信処理決定部７０４は、Cell reselection情報処理部７０２から新たに通知されるRRC Connectedの端末が使用するCell reselectionの情報も管理し、RRC Connectedの端末がCell reselectionの情報を使用する場合にその情報を使用する。
【００７３】
このように、RRC Connectedの端末が使用するCell reselectionの情報を限定することが可能となる。この具体例としては、前述のとおりHCSを使用しないとか、異システムの測定を行わないなどが考えられる。また、複数の異システムの情報がCell reselection情報含まれている際に、特定の異システムに対しては測定を行わないことも可能である。
【００７４】
このように実施の形態２によれば、RRC Idleで使用されているCell reselection用の情報の一部の情報のみを使用することにより、RRC Connectedの端末により適した設定を行うことができ、Measurement動作を正確に制御することができる。
【００７５】
（実施の形態３）
実施の形態１では、Cell reselectionの情報のみを長いDRXが設定されたRRC Connectedの端末が使用する場合について説明したが、本発明の実施の形態３では、Cell reselection用の情報とHandover用の情報をグループ的に管理し、同一グループに属する情報をまとめて使用する場合について説明する。
【００７６】
Cell reselection用の情報とHandover用の情報をグループ的に管理する様子を図８に示す。ここでは、同一周波数に対する設定と異なる周波数（異周波数）に対する設定との二つのグループを考える。また、個別Handover用制御情報として、同一周波数に対するMessageと異周波数に対するMessageが送信される。一方、Cell reselection用の情報は、一つのMessageではあるものの、使用しない情報、全体に使用する情報、同一周波数に対する設定、異周波数に対する設定などのように区分けしてある。なお、Message自体がこのように区分けされている必要はなく、どのように制御するかが決まっていればよい。
【００７７】
この例では、使用しない情報として、Cell reselection用の測定方法があり、その情報はHandover用制御情報には使用されない。また、全体に使用する情報は、同一周波数に対する設定、異周波数に対する設定の両方に使用する。ここでは、Cell reselectionを判定する際のHysterics、Cell reselectionを実施する頻度が該当する。また、同一周波数に対する設定は、異周波数に対する設定には使われない。ここでは、同一周波数の測定を行う基準となる元cellの受信品質、Cell reselectionを判定に用いるセル毎のoffsetなどが該当する。さらに、異周波数に対する設定は、同一周波数に対する設定には使われない。ここでは、異周波数測定を行う基準となる元cellの受信品質などが該当する。
【００７８】
このような動作により、Cell reselection用の情報とHandover用制御情報の両方を用いることができ、有効な処理を行うことができる。
【００７９】
図９は、本発明の実施の形態３に係る端末の構成を示すブロック図である。ただし、図９が図１と異なる点は、グループ管理部９０１を追加した点と、Measurement処理決定部１０８をMeasurement処理決定部９０２に変更し、Measurement report送信処理決定部１１０をMeasurement report送信処理決定部９０３に変更した点である。
【００８０】
グループ管理部９０１は、上記に示したようなグループを管理し、管理しているグループに従って、Measurement処理決定部９０２、Measurement report送信処理決定部９０３においては、使用する設定を決定する。なお、グループの作成方法としては、実施の形態２において示した４通りと同様に考えられ、どれが使用されるかに応じて、報知情報処理部１０２がグループ管理部９０１に指示したり、個別Handover情報処理部１０３がグループ管理部９０１に指示したり、グループ管理部９０１に予め情報が設定されていたりする。
【００８１】
Measurement処理決定部９０２は、グループ管理部９０１の指示に従って、同一グループに属する情報を統合する。
【００８２】
Measurement report送信処理決定部９０３は、グループ管理部９０１の指示に従って、同一グループに属する情報を統合する。
【００８３】
このように実施の形態３によれば、Cell reselection用の情報とHandover用の情報の両方を用いることができ、有効な処理を行うことができる。
【００８４】
なお、本実施の形態では、同一周波数と異周波数をグループ例として示したが、異システムも同様に一つのグループとして考えられる。
【００８５】
Cell reselection用の情報をさらに細かいグループに分けることも可能である。そして、その際に同一周波数と異周波数それぞれでどのグループを用いるかを設定することも可能である。この場合には、実施の形態２と組み合わせたような動作となる。
【００８６】
本概要で示した情報は例であり、これ以外の情報も使用しても良いし、さらには何をどのようにグループするかもこれ以外の方法でもかまわない。
【００８７】
（実施の形態４）
実施の形態１では、DRX/DTXと比較するDRX thが１つの場合について説明したが、本発明の実施の形態４では、DRX/DTXと比較するDRX thが複数の場合について説明する。
【００８８】
図１０は、本発明の実施の形態４に係る端末の構成を示すブロック図である。ただし、図１０が図１と異なる点は、DRX threshold・端末状態判定部１０７をDRX threshold・端末状態判定部１００１に変更し、Measurement処理決定部１０８をMeasurement処理決定部１００２に変更した点である。
【００８９】
DRX threshold・端末状態判定部１００１は、個別Handover情報処理部１０３から通知された端末の状態がRRC Idleの場合には、Cell reselection用の情報を用いることを決定する。一方、RRC Connectedの場合には、DRX状態管理部１０４から出力された現在使われているDRX/DTXの長さと、複数のMeasurement処理毎のDRX thとを比較し、現在使われているDRX/DTXの長さの方がDRX thより長いか否かの比較結果に基づいて、Cell reselectionの設定又はHandoverの設定のいずれを用いるかを複数のMeasurement処理毎に判定する。具体的には、DRX/DTXの長さの方がDRX thより長い場合にはCell reselectionの設定を用いてMeasurementを行うように決定され、DRX/DTXの長さの方がDRX thより短い場合にはHandoverの設定を用いてMeasurementを行うように決定される。DRX threshold・端末状態判定部１００１は、判定の結果、使用する設定をMeasurement処理決定部１００２とMeasurement report送信処理決定部１１０に指示する。なお、複数のMeasurement処理とは、例えば、同一周波数内のMeasurement処理、同一システムの異周波数に対するMeasurement処理、異システムに対するMeasurement処理などが挙げられる。
【００９０】
Measurement処理決定部１００２は、DRX threshold・端末状態判定部１００１から指示された設定に従って、Cell reselection情報処理部１０５から出力されたCell reselection用の情報とHandover情報処理部１０６から出力されたHandover用の情報とのいずれかを選択し、選択した情報を用いて、Measurement実施部１０９にMeasurementの設定を指示する。Measurement実施部１０９に指示するMeasurementの設定は、複数のMeasurement処理毎に行われる。
【００９１】
ここで、Handover用の情報を図１１に示す。図１１に示すように、Handover用の情報には、同一周波数用のDRX th、異周波数用のDRX th、異システム用のDRX thが含まれている。これにより、同一周波数のMeasurementをHandover用の情報を用いて行うか、Cell reselection用の情報を用いて行うかの判定には、同一周波数用のDRX thを用いる。また、異周波数のMeasurementをHandover用の情報を用いて行うか、Cell reselection用の情報を用いて行うかの判定には、異周波数用のDRX thを用いる。
【００９２】
以下、Measurementの内容に応じて異なるDRX thを用いる理由について説明する。まず、異周波数の測定、異システムの測定には、現在通信中のセルとの接続を停止する期間（GAP）を設ける必要があり、その期間をDRX中に設定する必要があることに関連する。すなわち、同一周波数の測定の際には、GAPを考慮する必要がないため、比較的短いDRXでも電力低減のためにCell reselection用の情報を使用することが可能である。しかしながら、DRXの値が短い場合には、その短いDRXでは十分なGAPを用いることができないため、異周波数の測定、異システムの測定にはCell reselection用の情報を適用できない場合がある。このような理由により、Measurementの内容に応じてDRX thを分けて設定する効果がある。また、異周波数の測定、異システムの測定に関しても、一般的に異システムの測定の方が異周波数の測定より時間がかかり、長いGAPが必要となる。このような理由からもDRX thを分けて設定する効果がある。
【００９３】
このように実施の形態４によれば、同一周波数用のDRX th、異周波数用のDRX th、異システム用のDRX thなどMeasurementの内容に応じて異なるDRX thを用いることにより、設定されたDRXがCell reselection用の情報を適用するのに十分な長さか否かをMeasurementの処理毎に判定することができる。
【００９４】
なお、本実施の形態では、３つのDRX thをそれぞれ同一周波数用、異周波数用、異システム用として設定したが、それ以外の設定の仕方でもよい。具体的には、２つのDRX thを同一周波数用とそれ以外とに設定してもよいし、２つのDRX thを同一システム用と異システム用として設定してもよい。
【００９５】
また、本実施の形態では、３つのDRX thを同一周波数用、異周波数用、異システム用として設定したが、３つのDRX thのうち、送信されるDRX thと送信されないDRX thとがある場合、送信されたDRX thのみを用いることが考えられる。具体的には、同一周波数用のDRX_thのみが送信された場合には、同一周波数のMeasurementのみCell reselection用の情報を使用し、異周波数用、異システム用に関してはCell reselection用の情報を使用しないことが考えられる。
【００９６】
また、Handover用のMeasurementとして、一部の処理内容しか設定されない場合が考えられる。具体的には、Cell reselection用の情報として、同一周波数用、異周波数用、異システム用が用意されているが、Handover用のMeasurement処理としては同一周波数用のみ、または同一周波数用及び異周波数用のみが設定されている場合などである。このような場合には、Handover用のMeasurement処理が指定されているMeasurementに関しては、DRX thを基にHandover用のMeasurementのパラメータを使用するか、Cell reselection用の情報を使用するかを決定し、Handover用のMeasurement処理が指定されていないMeasurementに関しては、DRX thを基にMeasurement行わないか、Cell reselection用の情報を使用してMeasurementを行うことを決定することが可能である。すなわち、異周波数用のCell reselection用のMeasurement処理の設定が報知情報で通知されており、異周波数用のHandover用のMeasurement処理の設定が端末に対して報知情報でも個別messageでも通知されていない場合には、異周波数用DRX thより短いDRXが端末に設定されると異周波数用のMeasurementを実施しないが、異周波数用DRX thより長いDRXが端末に設定されると異周波数用のMeasurementをCell reselection用のMeasurement処理の設定を用いて行うこととなる。
【００９７】
また、上記とは逆にHandover用のMeasurement処理が指定されていないMeasurementに関しては、DRX thの値にかかわらずMeasurement処理を実施しなくするような動作も可能である。
【００９８】
また、本実施の形態では、DRX thの値がネットワークから個別のMessageによって通知される例を示したが、この値は、報知情報によって通知されてもよいし、予め仕様として定義しておき、ネットワークからDRX thの値を送らないことも考えられる。
【００９９】
また、本実施の形態では、DRX thの値を複数通知する方法を示したが、１つのDRX thの値から他のDRX thの値を決定するルールを決めておき、１つのDRX thの値のみをネットワークから通知する方法も考えられる。例えば、同一周波数用のDRX thの値を１．５倍して異周波数用のDRX thを求めるようなルールを決めておき、同一周波数用のDRX thのみをネットワークから通知し、端末側で異周波数用のDRX thを決めることなどが考えられる。
【０１００】
本実施の形態では、複数のDRX thの値がネットワークから一つの個別のMessageによって通知されていたが、同一周波数用のDRX thは同一周波数用のHandover用の設定Messageで通知し、異周波数用のDRX thは異周波数用のHandover用の設定Messageで通知するなどのように、異なるMessageで通知してもよい。
【０１０１】
（実施の形態５）
実施の形態１では、Cell reselection用の情報を用いる条件として、DRXの値がDRX th以上である場合について説明したが、本発明の実施の形態５では、Cell reselection用の情報を用いる条件として、DRXの値がDRX th以上である場合に加え、自セルのMeasurement結果を用いる場合について説明する。
【０１０２】
図１２は、本発明の実施の形態５に係る端末の構成を示すブロック図である。ただし、図１２が図１と異なる点は、Measurement処理決定部１０８をMeasurement処理決定部１２０１に変更し、Measurement実施部１０９をMeasurement実施部１２０２に変更した点である。
【０１０３】
Measurement処理決定部１２０１は、DRX threshold・端末状態判定部１０７から出力された設定及び後述するMeasurement実施部１２０２から出力されたMeasurement結果に基づいて、Cell reselection情報処理部１０５から出力されたCell reselection用の情報とHandover情報処理部１０６から出力されたHandover用の情報とのいずれかを選択し、選択した情報を用いて、Measurement実施部１２０２にMeasurementの設定を指示する。
【０１０４】
Measurement実施部１２０２は、実際に受信信号（具体的には、UMTSにおけるCommon Pilot channel（CPICH）等の参照信号。ただし、LTE等で異なるチャネルが参照信号として使われる場合にはその参照信号）を用いてMeasurementを実施し、Measurement結果をMeasurement report送信処理決定部１１０に送信する。また、Measurement実施部１２０２は、Measurement結果が特定の値を下回った場合には、Measurement処理決定部１２０１にその旨を報告する。なお、特定の値とは、他セルの測定を行う基準となる自セルの受信品質値である。
【０１０５】
次に、上述したMeasurement処理決定部１２０１の詳細な動作について図１３を用いて説明する。図１３において、ステップ（以下、「ＳＴ」と省略する）１３０１では、DRX threshold・端末状態判定部１０７からの指示により、DRXの値がDRX th以上と通知されたか否かを判定する。DRXの値がDRX th以上と通知された場合（ＹＥＳ）、ＳＴ１３０２に移行し、DRXの値がDRX th未満と通知された場合（ＮＯ）、ＳＴ１３０４に移行する。
【０１０６】
ＳＴ１３０２では、Measurement実施部１２０２から通知された自セルの測定結果と所定の閾値（他セルの測定を行う基準となる自セルの受信品質）以上か否かを判定し、自セルの測定結果が所定の閾値以上の場合（ＹＥＳ）、ＳＴ１３０３に移行し、自セルの測定結果が所定の閾値未満の場合（ＮＯ）、ＳＴ１３０４に移行する。ここで、所定の閾値として用いる他セルの測定を行う基準となる自セルの受信品質としては、UMTSにおいては、同一周波数用のMeasurement用に定義されているSintrasearch、異周波数用のMeasurement用に定義されているSintersearch、異システム用のMeasurement用に定義されているSsearch,RATなどが具体的な例として挙げられる。
【０１０７】
ＳＴ１３０３では、Cell reselection用のMeasurementのパラメータを使用してmeasurementを行うことを決定する。一方、ＳＴ１３０４では、Handover用のMeasurementのパラメータを使用してmeasurementを行うことを決定する。
【０１０８】
このような処理により、Cell reselection用のMeasurementのパラメータを使用してMeasurement処理の処理量を低減して、端末の消費電力を削減することができ、他セルに移る可能性のある環境では、Handover用のMeasurementのパラメータを使用することにより、よりHandoverに適した処理を行うことができる。
【０１０９】
このように実施の形態５によれば、DRXの値がDRX th以上であり、かつ、自セルのMeasurement結果が所定の閾値以上である場合に、Cell reselection用の情報を用いることにより、Handoverの可能性が低い場合に限り、Cell reselection用の情報を用いることができる。
【０１１０】
なお、UMTSのように、他セルの測定を行う基準となる自セルの受信品質値が複数（同一周波数用、異周波数用、異システム用）定義されている場合、図１３に示したＳＴ１３０２でのCell reselectionのパラメータを使用するか否かの判定は、Measurementの処理内容により異なる。具体的には、同一周波数用の他セルのMeasurementを行うかを判断する基準として定義されている自セルの受信品質の閾値（UMTSでのSintrasearch）よりも、異周波数用の他セルのMeasurementを行うかを判断する基準として定義されている自セルの受信品質の閾値（UMTSでのSintersearch）の方が低い場合、同一周波数用の他セルのMeasurementを行う必要があっても異周波数用の他セルのMeasurementを行う必要がない場合がある。このような場合には、同一周波数に対してはHandover用のMeasurementのパラメータを用い、異周波数に対してはCell reselection用のMeasurementのパラメータを用いることとなる。
【０１１１】
（他の実施の形態）
ここでは、実施の形態１において説明したCell reselection用の情報を端末が使用する方法について説明する。図１４は、DRX thより長いDRXが設定された場合の端末の動作を示すフロー図である。
【０１１２】
図１４において、ＳＴ１４０１では、ネットワークからの設定に応じてMeasurementを実施し、ＳＴ１４０２では、DRXの値がDRX th以上と通知されたか否かを判定する。DRXの値がDRX th以上と通知された場合（ＹＥＳ）、ＳＴ１４０３に移行し、DRXの値がDRX th未満と通知された場合（ＮＯ）、ＳＴ１４０２に戻る。
【０１１３】
ＳＴ１４０３では、Cell reselectionの情報を用いることを決定し、各種パラメータを更新し、ＳＴ１４０４では、Cell reselectionのMeasurement関連の情報を使用してMeasurementを実施する。
【０１１４】
ＳＴ１４０５では、Measurement結果がCell reselectionを行う条件を満たしたか否かを判定し、Cell reselectionを行う条件を満たした場合（ＹＥＳ）、ＳＴ１４０６に移行し、Cell reselectionを行う条件を満たしていない場合（ＮＯ）、ＳＴ１４０４に戻る。ＳＴ１４０６では、Handoverの情報を使用してMeasurement reportを作成及び送信する。
【０１１５】
図１４に示した動作は、Handover用に設定されているMeasurementの設定が１つの場合を想定しており、このMeasurementの設定が複数の場合には、更なる動作が必要となる。Cell reselectionを行う条件として、一つの条件のみが存在する場合、二通りの端末の動作が考えられ、これらの動作について図１５及び図１６を用いて説明する。なお、図１５において、図１４と共通する部分には、同一の符号を付し、重複する説明は省略する。
【０１１６】
図１５において、ＳＴ１５０１では、Cell reselectionの情報を使用することを決定し、ＳＴ１５０２では、複数のHandover用のMeasurement設定の中でCell reselectionと関連付けるものを選択する。ＳＴ１５０３では、各種パラメータを更新する。
【０１１７】
ＳＴ１５０４では、ＳＴ１４０５においてMeasurement結果がCell reselectionを行う条件を満たしたと判定された場合、ＳＴ１５０２において選択したHandover用の情報を使用してMeasurement reportを作成及び送信する。すなわち、図３（ｂ）に示したMeasurement ID、Reportingに入れる値のフォーマット等がここでMessageを作成する際に用いられることになる。
【０１１８】
次に、もう一つの端末の動作について図１６を用いて説明する。なお、図１６において、図１５と共通する部分には、同一の符号を付し、重複する説明は省略する。
【０１１９】
図１６において、ＳＴ１６０１では、複数のHandover用のMeasurement設定の中でMeasurement設定自体が異なるものをまとめ、まとめたMeasurement設定をそれぞれCell reselectionと関連付ける。ここで、Measurement設定とは、Measurementの測定方法等である。これにより、まとめたMeasurement設定毎にMeasurementが行われるため、複数の設定のMeasurementを並行して行うことができる。
【０１２０】
ＳＴ１６０２では、複数のMeasurement結果のうち、Cell reselectionを行う条件を満たすものがあるか否かを判定し、この条件を満たすものがある場合（ＹＥＳ）、ＳＴ１６０３に移行し、この条件を満たすものがない場合（ＮＯ）、ＳＴ１４０４に戻る。ＳＴ１６０３では、ＳＴ１６０２において該当したHandoverの情報を使用してMeasurement reportを作成及び送信する。
【０１２１】
なお、図１５のＳＴ１５０２において選択されるMeasurement設定、及び、図１６のＳＴ１６０１において選択されるMeasurement設定としては、最初に端末に設定されたMeasurement設定、Measurement IDが最も小さい（又は最も大きい）Measurement設定、Cell reselectionと同様のReportingが行われるMeasurement設定、報知情報により通知されたMeasurement設定、個別Messageにより通知されたMeasurement設定などが挙げられる。ちなみに、Cell reselectionと同様のReportingが行われるMeasurement設定は、例えば、セルの追加などではなく、一番良いセルまたはシステムが変わったことを通知するMeasurement設定が挙げられる。すなわち、UMTSにおける同一周波数帯の一番良いセルが変わったことを示すEvent1d、異周波数帯間での一番良いセルが変わったことを示すEvent2a、異システム間の一番良いセルが変わったことを示すEvent3d等が該当するものとして挙げられる。また、報知情報により通知されたMeasurement設定を選択するのは、報知情報により通知される設定が最も一般的な設定と考えられるからであり、個別Messageにより通知されたMeasurement設定を選択するのは、個別Messageが送信された端末にとっては最も重要な設定と考えられるからである。
【０１２２】
また、図１６のＳＴ１６０１において同一のMeasurement設定をまとめる情報としては、Ec/NO、SIR、RSCP (Received signal code power)、Path loss等のMeasurementの方法、また、1.25MHz、2.5MHz、全ての帯域等のMeasurementする帯域などが挙げられる。これにより、SIRを用いたMeasurementを行うことで下り回線の動向に追従し、RSCPを用いたMeasurementを行うことで上り回線の動向に追従するなどの、Measurementの特性に応じた処理を並行して行える。そのため、より多くの状況を管理できることになり、移動制御の高度化が可能である。
【０１２３】
なお、上記各実施の形態において、DRXとDTXとを特に区別することなく説明したが、これらを区別する場合には、いずれか短い値をDRX thとの比較に用いることが考えられる。
【０１２４】
また、上記各実施の形態では、DRX thを超えるDRXの値が設定された場合、直ちに動作を切り替えるものとして説明したが、動作の切り替えにHysteresis、すなわち切り替えるまでの猶予期間を設けてもよい。具体的には、DRX thを超えるDRXの値が設定された場合でも、直ちに動作を切り替えず、Hysteresisの時間分は現行の動作を継続してもよい。これは、DRX thを超えるDRXの値が設定されている状態で、DRX thを超えないDRXが設定された場合にも同一である。また、そのHysteresisは報知情報又は個別のRRC messageで通知されてもよいし、固定の値でもよい。
【０１２５】
また、上記のHysteresisの間では、Cell reselection用のMeasurement動作とHandover用のMeasurement動作の両方を実施することで、その切り替えをスムーズに行うことも考えられる。
【０１２６】
また、上記各実施の形態を適宜組み合わせて実施してもよい。
【０１２７】
また、上記各実施の形態における元cellは、現在接続しているcellでもよいし、過去に接続したcellでもよい。
【０１２８】
また、上記各実施の形態におけるHandover用のMeasurementとは、UMTSにおいて、RRC messageであるMeasurement Control message、報知情報であるSystem Information Block type11、または、System Information Block type11などで送られる情報であり、端末がRRCのコネクションを確立しており、ネットワークによって端末の移動が制御される場合に使われるMeasurementのことである。これらが使われる端末の状態としては、UMTSでのRRC_CONNECTED内のCELL_DCH、LTEでのRRC_CONNECTED状態、LTE_ACTIVE状態が該当する。
【０１２９】
また、上記各実施の形態におけるCell reselection用のMeasurementとは、UMTSにおいて報知情報であるSystem Information Block type3などで送られる情報であり、端末が自身の選択により移動を制御する場合に使われるMeasurementのことである。これらが使われる端末の状態としては、UMTSでのRRC_IDLEとRRC_CONNECTED内のCELL_FACH、CELL_PCH、URA_PCHが該当する。また、LTEでのRRC_IDLE状態、LTE_IDLE状態が該当する。
【０１３０】
また、上記各実施の形態におけるDRX thはDRXの長さを示す情報であるが、直接DRXの長さがDRX thとして通知される必要はない。具体的には、DRXの長さが２＾Ｋのように示される場合にＫをDRX thとして伝えるようにすることが可能である。その場合には、DRX thからDRXの長さを決定するなどして現在端末が使用しているDRXの長さと比較することにより比較処理は可能である。
【０１３１】
また、上記各実施の形態におけるDRX thと現在端末が使用しているDRXの比較であるが、DRX thより現在端末が使用しているDRXの値が長いか否かで比較処理を行う例を示したが、現在端末が使用しているDRXの値がDRX thの長さ以上か否かで比較処理を行うなどの動作でもよい。
【０１３２】
上記各実施の形態では、本発明をハードウェアで構成する場合を例にとって説明したが、本発明はソフトウェアで実現することも可能である。
【０１３３】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１３４】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１３５】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【産業上の利用可能性】
【０１３６】
本発明にかかる無線通信端末装置及び無線通信方法は、例えば、移動体通信システム等に適用できる。
【図面の簡単な説明】
【０１３７】
【図１】本発明の実施の形態１に係る端末の構成を示すブロック図
【図２】本発明の実施の形態１に係る基地局の構成を示すブロック図
【図３】（ａ）Cell reselection用の情報を示す図、（ｂ）Handover用の情報を示す図
【図４】図１に示した端末と図２に示した基地局との通信手順を示すシーケンス図
【図５】（ａ）Cell reselection用の情報を示す図、（ｂ）Handover用の情報を示す図
【図６】（ａ）Cell reselection用の情報を示す図、（ｂ）個別のHandover制御情報を示す図
【図７】本発明の実施の形態２に係る端末の構成を示すブロック図
【図８】Cell reselection用の情報とHandover用の情報をグループ的に管理する様子を示す図
【図９】本発明の実施の形態３に係る端末の構成を示すブロック図
【図１０】本発明の実施の形態４に係る端末の構成を示すブロック図
【図１１】Handover用の情報を示す図
【図１２】本発明の実施の形態５に係る端末の構成を示すブロック図
【図１３】図１２に示したMeasurement処理決定部の詳細な動作を示すフロー図
【図１４】DRX thより長いDRXが設定された場合の端末の動作を示すフロー図
【図１５】Handover用に設定されているMeasurementの設定が複数の場合の端末の動作を示すフロー図
【図１６】Handover用に設定されているMeasurementの設定が複数の場合の端末の他の動作を示すフロー図
【図１７】RRC stateとそのstate遷移を示す概念図
【図１８】DRXの設定変更に伴うMeasurement動作の変更の様子を示す図
【符号の説明】
【０１３８】
１０１、２０２  受信部
１０２  報知情報処理部
１０３  個別Handover情報処理部
１０４  DRX状態管理部
１０５、７０２  Cell reselection情報処理部
１０６  Handover情報処理部
１０７  DRX threshold・端末状態判定部
１０８、７０３、９０２  Measurement処理決定部
１０９  Measurement実施部
１１０、７０４、９０３  Measurement report送信処理決定部
１１１、２０７  送信部
２０１  上位局・手動設定受信部
２０３  端末制御決定部
２０４  報知情報処理部
２０５  個別Handover情報処理部
２０６  DRX状態管理部
７０１  有効Cell reselection情報管理部
９０１  グループ管理部
【図１】
2008278303.tif 000003
【図２】
2008278303.tif 000004
【図３】
2008278303.tif 000005
【図４】
2008278303.tif 000006
【図５】
2008278303.tif 000007
【図６】
2008278303.tif 000008
【図７】
2008278303.tif 000009
【図８】
2008278303.tif 000010
【図９】
2008278303.tif 000011
【図１０】
2008278303.tif 000012
【図１１】
2008278303.tif 000013
【図１２】
2008278303.tif 000014
【図１３】
2008278303.tif 000015
【図１４】
2008278303.tif 000016
【図１５】
2008278303.tif 000017
【図１６】
2008278303.tif 000018
【図１７】
2008278303.tif 000019
【図１８】
2008278303.tif 000020